(57)【要約】【課題】  立体的なアートパーツを人口爪のいずれの位置にも容易に取り付けることができ、またその取り外しも容易な人口爪および人口爪のアートパーツ取付方法を提供することを目的とする。【解決手段】  自爪１２に取り付けた人口爪１０にアクリル溶液１４を盛り付け、その盛り付け硬化したアクリル溶液１４の表面を削り、その削った部分１８に接着剤を介して雌部１８ａを有する留め具１８を固着させ、その留め具１８の雌部１８ａに嵌め込む雄部１８ｂを有する留め具１８を備えるアートパーツ１６を取り付ける。これにより、人口爪１０にアートパーツ１６を簡単に取り付けることができ、また、アートパーツ１６の取り外しも容易となることから、ＴＰＯに応じてアートパーツを付け替えることができる。【選択図】  図１
2010200958.tif 000002
【特許請求の範囲】
【請求項１】
自爪に取り付けた人口爪にアクリル溶液を盛り付け、その盛り付け硬化したアクリル溶液の表面を削り、その削った部分に接着剤を介して雌部を有する留め具を固着させ、その留め具の雌部に嵌め込む雄部を有する留め具を備えるアートパーツを取り付けることを特徴とする人口爪のアートパーツ取付方法。
【請求項２】
前記雄部を有する留め具を前記アートパーツの底面に形成した凹部に埋め込み、前記雌部を有する留め具により前記アクリル溶液の表面上に形成される凸部に前記凹部を嵌め込み、前記アクリル溶液の表面に前記アートパーツの底面を当接させて取り付けることを特徴とする請求項１記載の人口爪のアートパーツ取付方法。
【請求項３】
留め具の雌部に嵌め込む雄部を有する留め具を備えるアートパーツを取り付けるための人口爪であって、その人口爪の表面に前記雌部を有する留め具を固着させることを特徴とする人口爪。
【請求項４】
前記雄部を有する留め具を前記アートパーツの底面に形成した凹部に埋め込み、前記雌部を有する留め具により前記人口爪の表面上に形成される凸部に前記凹部を嵌め込み、前記人口爪の表面に前記アートパーツの底面を当接させて取り付けることを特徴とする請求項３記載の人口爪。
【発明の詳細な説明】
【技術分野】
【０００１】
本発明は、自爪に取り付ける人口爪および人口爪のアートパーツ取付方法に関する。
【背景技術】
【０００２】
人口爪（付け爪）は自爪に取り付けるものであり、女性の美容のために装飾目的で利用されている。人口爪を用いた装飾技術（美容技術）は、ネイルアートと称されている。
人口爪を取り付ける方法としては、自爪の上にアクリル系接着剤（アクリル溶液）などを用いてフォームを形成し、人口爪（ネイルチップやスカルプチュア等）を貼り付ける又は取り付ける方法がある。また、ユーザーが簡単に自爪に接着できる樹脂製のチップも提供されている。
【０００３】
近年のネイルアートの分野では、人口爪の表面に立体形状の飾り物（本願において「アートパーツ」という。）を取り付けるネイルアートデザインが流行し、定着している。アートパーツは、人口爪の表面にアクリル系接着剤などの接着剤で接着し固定されている（例えば、特許文献１）。また、人口爪にアートパーツを移動可能に設け、ネイルアートに遊戯的又は玩具的要素を盛り込んだものも存在する（例えば、特許文献２）。
しかし、立体的なアートパーツは装飾を主な目的とするものであるため、日常の生活においては不要な場合がある。アートパーツの取り外しは、通常ネイルサロンでアセトンを用いて溶かして行う。このように、従来のネイルアートは、立体的なアートパーツを容易に取り付け・取り外しできないものであった。
そこで、立体的なアートパーツの取り外しを容易にしたネイル用ピアスが提供されている（例えば、特許文献３）。
【特許文献１】特開２００３−３０４９２７号
【特許文献２】特許第３７１３５０９号
【特許文献３】実用新案登録第３１４２１９０号
【０００４】
特許文献３のネイル用ピアスは、立体的なアートパーツであるピアス本体をネジ部材を用いてネイルチップに取り付けるものである。ピアス本体の裏面（底面）には、ネジ部材のネジ部を螺入するネジ孔が設けられている。また、ネイルチップの所定の位置には、ネジ部材を通すためのネイルチップ貫通孔が形成されている。ネイルチップの裏面からネイルチップ貫通孔にネジ部材を挿入し、ネジ部材のネジ部をピアス本体のネジ孔に螺入することにより、ピアス本体（立体的なアートパーツ）をネイルチップに簡単に取り付けることができる。
【０００５】
しかし、特許文献３のネイル用ピアスは、下方に自爪があるネイルチップの部分に取り付けることはできないため、ピアス本体を取り付ける位置が制限されていた。また、ネイルチップの下方に自爪がある部分にピアス本体を取り付けた場合、ネジ部材の頭部がネイルチップと自爪の間に隙間を生じさせるため、ネイルチップを自爪に密着させることができないという問題もあった。
【発明の開示】
【発明が解決しようとする課題】
【０００６】
本発明は、上記問題を解決するために、立体的なアートパーツを人口爪のいずれの位置にも容易に取り付けることができ、またその取り外しも容易な人口爪および人口爪のアートパーツ取付方法を提供することを目的とするものである。
【課題を解決するための手段】
【０００７】
本発明の人口爪のアートパーツ取付方法は、自爪に取り付けた人口爪にアクリル溶液を盛り付け、その盛り付け硬化したアクリル溶液の表面を削り、その削った部分に接着剤を介して雌部を有する留め具を固着させ、その留め具の雌部に嵌め込む雄部を有する留め具を備えるアートパーツを取り付けるようにしたものである。
また、前記雄部を有する留め具を前記アートパーツの底面に形成した凹部に埋め込み、前記雌部を有する留め具により前記アクリル溶液の表面上に形成される凸部に前記凹部を嵌め込み、前記アクリル溶液の表面に前記アートパーツの底面を当接させて取り付けるようにしたものである。
【０００８】
本発明の人口爪は、留め具の雌部に嵌め込む雄部を有する留め具を備えるアートパーツを取り付けるための人口爪であって、その人口爪の表面に前記雌部を有する留め具を固着させるようにしたものである。
また、前記雄部を有する留め具を前記アートパーツの底面に形成した凹部に埋め込み、前記雌部を有する留め具により前記人口爪の表面上に形成される凸部に前記凹部を嵌め込み、前記人口爪の表面に前記アートパーツの底面を当接させて取り付けるようにしたものである。
【発明の効果】
【０００９】
本発明の人口爪および人口爪のアートパーツ取付方法は、人口爪の表面上に雌部を有する留め具を固着させ、その留め具に雄部を有する留め具を備えるアートパーツを取り付けるものである。人口爪の表面に設けられる留め具の雌部とアートパーツに備える留め具の雄部との嵌合により取り付ける本発明は、ネジ部材を人口爪の裏面から挿入して人口爪にアートパーツを固定する従来のネイルアートと異なり、本発明のアートパーツの取付け、取り外しは容易である。これにより、人口爪に色々なパーツやチャームを付け替えることができ、多様なネイルアートを楽しむことができる。
【００１０】
また、アートパーツの取付手段である雌部を有する留め具は、人口爪の表面上のみに設けられることから、自爪のある人口爪の部分にもアートパーツの取付けが可能であり、また、特許文献３のネイル用ピアスとは異なり、人口爪と自爪の間に隙間を生じさせることはなく、美しい爪先を形成することができる。
【発明を実施するための最良の形態】
【００１１】
本発明は、立体的なアートパーツを容易に取り付け・取り外しできることを実現するものである。
【実施例１】
【００１２】
本発明の人口爪のアートパーツ取付方法を図に基づいて説明する。図１は、本発明の人口爪のアートパーツ取付方法を表わす図である。図１（ａ）は自爪の先端に人口爪（ネイルチップ）を取り付けた状態を表す図、同図（ｂ）は人口爪上に形成したくぼみを表わす図、同図（ｃ）は前記くぼみに留め具を取り付けた状態を表わす図、同図（ｄ）は前記留め具にアートパーツを取り付けた状態を表わす図である。図２は、図１（ｄ）のアートパーツの取付部分の要部を表わすＡ−Ａ拡大断面図である。図３は、アートパーツを取り外すための工具の平面図である。なお、図１の人口爪はハーフウェルチップであり、自爪の先端に装着するハーフタイプのネイルチップである。
本発明の人口爪のアートパーツ取付方法は、以下の工程１ないし４の順で行う。
【００１３】
（工程１）
ネイルチップ１０を自爪１２の先端に取り付ける（図１（ａ））。取り付け後、ネイルチップ１０の表面にミクスチャー１４（アクリル溶液）を塗布し所定の厚さに盛る（図１（ａ）の斜線部）。ミクスチャー１４は、アクリルリキッドを含ませた筆でアクリルパウダーを取ることにより生成されるクリーム状のアクリル溶液である。ミクスチャー１４は、所定の時間が経過すると硬化する。
なお、ミクスチャー１４が硬化した後、ファイルを用いて爪の形状に整える。
【００１４】
（工程２）
ミクスチャー１４が硬化した後、アートパーツ１６（図１（ｄ））を取り付ける位置に図示しないネイルマシン（電動ヤスリ機）を用いて削り、留め具１８（図１（ｃ））を収めるためのくぼみ２０を形成する（図１（ｂ）、図２）。
【００１５】
（工程３）
くぼみ２０に接着剤２２（ネイルグルー）を塗布し又は流し込み、雌部１８ａ（図２の留め具１８の雄部１８ｂを嵌入する孔部）を有する留め具１８を取り付ける（図１（ｃ）、図２）。
【００１６】
くぼみ２０の大きさは、雌部１８ａを有する留め具１８の上部がミクスチャー１４の表面から突出し、その表面に凸部２４が形成されるように取り付ける（図２）。
一方、雄部１８ｂを有する留め具１８は、アートパーツ１６の底面（ミクスチャー１４の表面と当接する面）に形成する凹部２６に埋め込む。このとき、雄部１８ｂを有する留め具１８を埋め込んだ状態のアートパーツ１６の凹部２６の深さＸは、雌部１８ａを有する留め具１８により形成される凸部２４の高さＹと同じになるようにする。また、凹部２６の広さ（凹部２６の開口部の大きさ）は、雌部１８ａに雄部１８ｂを嵌入させたときに雌部１８ａを有する留め具１８の上部（凸部２４）が凹部２６に嵌入するようにする。すなわち、凸部２４と凹部２６とを嵌合させた際、ミクスチャー１４の表面とアートパーツ１６の底面とが当接するように凸部２４と凹部２６を形成する。これにより、アートパーツ１６がネイルチップ１０からはなれたり動いたりしないように取り付けることができる。
【００１７】
なお、雌部１８ａを有する留め具１８をミクスチャー１４に埋没させて、凸部２４を形成しないようにしてもよい。
また、留め具１８には、雌部と雄部を有するホックやマグネットホックなどを使用できるが、これらの留め具に限定するものではない。
【００１８】
（工程４）
ミクスチャー１４の表面に雌部１８ａを有する留め具１８が固着された後、雄部１８ｂを有する留め具１８を雌部１８ａを有する留め具１８に取り付けて、ネイルチップ１０にアートパーツ１６を取り付ける（図１（ｄ））。
【００１９】
また、アートパーツ１６をネイルチップ１０から取り外す場合は、雄部１８ｂを雌部１８ａから取り外すためのバー２８（図３）を用いてもよい。図３のバー２８は、一の端部に雄部１８ｂを挟持する挟持部２８ａ（隙間）を形成する平板状のものである。挟持部２８ａを形成するバー２８の端部をアートパーツ１６とネイルチップ１０の間に差し込んで、挟持部２８ａの隙間に雄部１８ｂを挿入させ、挟持部２８ａの反対側のバー２８の端部を持ち上げる。これにより、ネイルチップ１０からアートパーツ１６を簡単に取り外すことができる。なお、指（又は手）で取り外すことも可能である。
【００２０】
次に、本発明の人口爪を図４を用いて説明する。図４は、本発明の人口爪の構成図である。図４（ａ）は本発明の人口爪の平面図であり、同図（ｂ）は図４（ａ）の図Ｂ−Ｂ拡大断面図である。
本発明の人口爪３０は、留め具１８の雌部１８ａに嵌め込む雄部１８ｂを有する留め具１８を備えるアートパーツ１６（図２）を取り付けるための人口爪であって、その人口爪３０の表面に前記雌部１８ａを有する留め具１８を固着させるものである（図４（ａ））。留め具１８の固着手段としては、上述した本発明の取付方法以外に、接着、溶着その他の取付手段を用いても良い。また、人口爪３０の本体３０ａと前記雌部１８ａを有する留め具１８とからなる人口爪を型を用いで成型してもよい。
【００２１】
また、本発明の人口爪３０は、前記雄部１８ｂを有する留め具１８を前記アートパーツ１６の底面に形成した凹部２６に埋め込み、前記雌部１８ａを有する留め具１８により前記人口爪３０の本体３０ａの表面上に凸部３２を形成し（図４（ｂ））、その凸部３２に前記凹部２６（図２）を嵌入して、前記アートパーツ１６を人口爪３０の本体３０ａの表面に当接させて取り付けるものである。
なお、図４の人口爪３０（ネイルチップ）は、自爪１２全体に貼り付けて取り付けるフルウェルチップであり、ユーザーが自ら取り付けることができるものである。
【００２２】
以上のように、本発明によると、容易にアートパーツを取り付け又は取り外しできることから、ＴＰＯに応じて色々なパーツやチャームを付け替えることができ、ネイルアートを楽しむことができる。
また、アートパーツの取付手段である雌部を有する留め具は、人口爪の表面上のみに設けられることから、人口爪のどの部分にもアートパーツを取付けることができ、思い通りのネイルアートデザインを施すことができる。
【図面の簡単な説明】
【００２３】
【図１】本発明の人口爪のアートパーツ取付方法を表わす図であり、図１（ａ）は自爪の先端に人口爪を取り付けた状態を表す図、同図（ｂ）は人口爪上に形成したくぼみを表わす図、同図（ｃ）は前記くぼみに留め具を取り付けた状態を表わす図、同図（ｄ）は前記留め具にアートパーツを取り付けた状態を表わす図である。
【図２】図１（ｄ）のアートパーツの取付部分の要部を表わすＡ−Ａ拡大断面図である。
【図３】アートパーツを取り外すための工具の平面図である。
【図４】本発明の人口爪の構成図であり、図４（ａ）は本発明の人口爪の平面図であり、同図（ｂ）は図４（ａ）の図Ｂ−Ｂ拡大断面図である。
【符号の説明】
【００２４】
１０  ネイルチップ
１２  自爪
１４  ミクスチャー
１６  アートパーツ
１８  留め具
２０  くぼみ
２２  接着剤
２４  凸部
２６  凹部
３０  ネイルチップ
３２  凸部
【図１】
2010200958.tif 000003
【図２】
2010200958.tif 000004
【図３】
2010200958.tif 000005
【図４】
2010200958.tif 000006
【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
自爪に取り付けた人口爪の表面にアクリル溶液を盛り付け、その盛り付け硬化したアクリル溶液の表面を削ってその表面にくぼみを形成し、そのくぼみに接着剤を介して雌部を有する留め具を固着させることによって人口爪の表面に形成される凸部を設け、
底面に凹部を形成したアートパーツを設け、その凹部に前記雌部に嵌め込む雄部を有する留め具を埋め込み、前記雌部に前記雄部を嵌入し前記凸部に前記アートパーツの底面に形成した凹部を嵌入することにより前記人口爪の表面に盛られたアクリル溶液に前記アートパーツの底面を当接させて前記人口爪に前記アートパーツを取り付けることを特徴とする人口爪のアートパーツ取付方法。
【請求項２】
雄部を有する留め具を埋め込む凹部を底面に形成したアートパーツを取り付けるための人口爪であって、その人口爪の表面に雌部を有する留め具を固着させることによって人口爪の表面に形成される凸部を備え、前記雌部に前記雄部を嵌入し前記凸部に前記アートパーツの底面に形成した凹部を嵌入することにより前記アートパーツの底面を前記人口爪の表面に当接させて人口爪にアートパーツを取り付けることを特徴とするアートパーツ取付け用人口爪。
【手続補正２】
【補正対象書類名】明細書
【補正対象項目名】０００７
【補正方法】変更
【補正の内容】
【０００７】
本発明の人口爪のアートパーツ取付方法は、自爪に取り付けた人口爪の表面にアクリル溶液を盛り付け、その盛り付け硬化したアクリル溶液の表面を削ってその表面にくぼみを形成し、そのくぼみに接着剤を介して雌部を有する留め具を固着させることによって人口爪の表面に形成される凸部を設け、底面に凹部を形成したアートパーツを設け、その凹部に前記雌部に嵌め込む雄部を有する留め具を埋め込み、前記雌部に前記雄部を嵌入し前記凸部に前記アートパーツの底面に形成した凹部を嵌入することにより前記人口爪の表面に盛られたアクリル溶液に前記アートパーツの底面を当接させて前記人口爪に前記アートパーツを取り付けるようにしたものである。
【手続補正３】
【補正対象書類名】明細書
【補正対象項目名】０００８
【補正方法】変更
【補正の内容】
【０００８】
本発明の人口爪は、雄部を有する留め具を埋め込む凹部を底面に形成したアートパーツを取り付けるための人口爪であって、その人口爪の表面に雌部を有する留め具を固着させることによって人口爪の表面に形成される凸部を備え、前記雌部に前記雄部を嵌入し前記凸部に前記アートパーツの底面に形成した凹部を嵌入することにより前記アートパーツの底面を前記人口爪の表面に当接させて人口爪にアートパーツを取り付けるようにしたものである。
【手続補正書】
【提出日】平成21年12月31日(2009.12.31)
【手続補正１】
【補正対象書類名】特許請求の範囲
【補正対象項目名】全文
【補正方法】変更
【補正の内容】
【特許請求の範囲】
【請求項１】
自爪に取り付けた人口爪の表面にアクリル溶液を盛り付け、その盛り付け硬化したアクリル溶液の表面を削ってその表面にくぼみを形成し、そのくぼみに接着剤を介して雌部を有する留め具を固着させることによって人口爪の表面に形成される凸部を設け、
底面に凹部を形成したアートパーツを設け、その凹部に前記雌部に嵌め込む雄部を有する留め具を埋め込み、前記雌部に前記雄部を嵌入し前記凸部に前記アートパーツの底面に形成した凹部を嵌入することにより前記人口爪の表面に盛られたアクリル溶液に前記アートパーツの底面を当接させて前記人口爪に前記アートパーツを取り付けることを特徴とする人口爪のアートパーツ取付方法。
【手続補正３】
【補正対象書類名】明細書
【補正対象項目名】０００１
【補正方法】変更
【補正の内容】
【０００１】
本発明は、自爪に取り付ける人口爪のアートパーツ取付方法に関する。
【手続補正４】
【補正対象書類名】明細書
【補正対象項目名】０００６
【補正方法】変更
【補正の内容】
【０００６】
本発明は、上記問題を解決するために、立体的なアートパーツを人口爪のいずれの位置にも容易に取り付けることができ、またその取り外しも容易な人口爪のアートパーツ取付方法を提供することを目的とするものである。
【手続補正５】
【補正対象書類名】明細書
【補正対象項目名】０００８
【補正方法】削除
【補正の内容】